(57)【要約】【課題】  本発明の課題は、天然由来の成分のみを用いた自動車用排気ガス清浄剤を、エアフィルターに噴霧するという簡単な方法により、自動車の燃費を向上できると共に、自動車の排気ガスを清浄化することができ、さらに、自動車用排気ガス清浄剤の有効期間を延長できる自動車用排気ガス清浄剤、該清浄剤の製造方法および該清浄剤の使用方法を提供することにある。【解決手段】  本発明の課題は、自動車のエアフィルターに噴霧して用いる自動車用排気ガス清浄剤として、水に、ａ）トルマリンの微粉末、ｂ）多孔質材料の微粉末、ｃ）海藻類から抽出されたフコイダン、およびｄ）海藻類から抽出されたアミノペプチドおよび／またはアルギン酸類を含有させた液を、自動車用排気ガス清浄剤として用いることにより解決される。【選択図】図１
2018193898.tif 000002
【特許請求の範囲】
【請求項１】
水に、
ａ）トルマリンの微粉末、
ｂ）多孔質材料の微粉末、
ｃ）海藻類から抽出されたフコイダン、
ｄ）海藻類から抽出されたアミノペプチドおよび／またはアルギン酸類
を含有させたことを特徴とする、エアフィルターに噴霧して用いる自動車用排気ガス清浄剤。
【請求項２】
さらに、
ｅ）天然防腐剤として作用する、ヒノキ油、ヒバ油等の植物精油
を含有させたことを特徴とする、請求項１に記載の自動車用排気ガス清浄剤。
【請求項３】
請求項１に記載の自動車用排気ガス清浄剤の製造方法であって、
１）水に、トルマリンの微粉末および多孔質材料の微粉末を分散させる工程、
２）前記１）で得られた液に、海藻類から抽出されたフコイダン、および海藻類から抽出されたアミノペプチドおよび／またはアルギン酸類を添加する工程、
を含むことを特徴とする、自動車用排気ガス清浄剤の製造方法。
【請求項４】
請求項２に記載の自動車用排気ガス清浄剤の製造方法であって、
１）水に、トルマリンの微粉末および多孔質材料の微粉末を分散させる工程、
２）前記１）で得られた液に、海藻類から抽出されたフコイダン、海藻類から抽出されたアミノペプチドおよび／またはアルギン酸類、および天然防腐剤として作用する、ヒノキ油、ヒバ油等の植物精油を添加する工程、
を含むことを特徴とする、自動車用排気ガス清浄剤の製造方法。
【請求項５】
請求項１または２に記載の自動車用排気ガス清浄剤の使用方法であって、
１）自動車のエンジンルームからエアフィルターを取り出す工程、
２）前記エアフィルターの両面に、前記自動車用排気ガス清浄剤を噴霧する工程、および
３）前記自動車用排気ガス清浄剤を噴霧したエアフィルターを、前記エンジンルームに戻す工程、
を含むことを特徴とする、自動車用排気ガス清浄剤の使用方法。
【発明の詳細な説明】
【技術分野】
【０００１】
本発明は、自動車のエアフィルターに噴霧して用いる自動車用排気ガス清浄剤、該排気ガス清浄剤の製造方法および該排気ガス清浄剤の使用方法に関する。
【背景技術】
【０００２】
近年、自動車の排気ガスに伴う空気汚染・地球温暖化現象、石油の枯渇に伴う原油不足等が世界的に問題になっており、自動車の排気ガスの清浄化、自動車の燃費向上が重要な課題となっている。
【０００３】
自動車のエンジン、電気系統等の構造、燃料・潤滑油等のオイル類に変更を加えずに、簡単・経済的な手法で自動車の燃費を向上させる方法としては、エンジンに吸気される空気に工夫を加えることが開示されている。
【０００４】
特許文献１、２には、エンジン吸入空気ダクト内に高電圧容量のマイナスイオン電子を放電針により負荷して吸入空気をイオン活性化することにより、キャブレターおよびシリンダー内におけるガソリン、軽油等との超微粒化結合、混合ガス化を促進し、馬力アップ、燃費改善、排気ガス汚染の低減を図ることが開示されているが、この方法では、高電圧発生装置が高価であり、また、自動車の電子機器に悪影響を与えることが懸念される。
【０００５】
また、特許文献３、４には、活性炭等を収容した包装体を内燃機関の吸気装置に設けることにより、燃焼効率を上げることが開示されているが、この方法では、エアフィルターボックス内に包装体を着脱、交換するのに手間を要する。
【０００６】
また、本発明者等は、先に特許文献５で、マイナスイオンを発生させることのできるトルマリン、ブラックシリカ、又は緑煌石を浸漬させた水で魚介類と海藻類を煮詰めて抽出したアミノペプチド類と、アルギン酸類を含有させた燃費向上液をエアフィルターに噴霧することにより、自動車の燃費を向上させることを提案したところであるが、近年、燃費向上と共に、排出ガスをさらに清浄化することが求められているところである。
【先行技術文献】
【特許文献】
【０００７】
【特許文献１】特開２０００−１６１１５３号公報
【特許文献２】特開２０００−２８２９７７号公報
【特許文献３】特開２００４−６８６７６号公報
【特許文献４】特開２００８−１４１７０号公報
【特許文献５】特開２０１４−１５６８５３号公報
【発明の概要】
【発明が解決しようとする課題】
【０００８】
本発明者等は、天然由来の成分のみを用い、先に提案した特許文献５の燃費向上液における、排気ガスを清浄化する性能をさらに向上させることを鋭意検討して本発明を成したものであって、本発明の課題は、天然由来の成分のみを用いた自動車用排気ガス清浄剤を、エアフィルターに噴霧するという簡単な方法により、自動車の燃費を向上できると共に、排気ガス中の一酸化炭素（ＣＯ）、炭化水素（ＨＣ）の排出量のみならず、窒化酸化物（ＮＯＸ）、二酸化炭素（ＣＯ２）の排出量をも大幅に低減することができ、自動車の排気ガス清浄化をさらに改善でき、さらに、トルマリンの微粉末および多孔質材料の微粉末をエアフィルターに均一に付着させ、しっかりと固定することができ、自動車用排気ガス清浄剤の有効期間を延長できる自動車用排気ガス清浄剤、該排気ガス清浄剤の製造方法および該排気ガス清浄剤の使用方法を提供することにある。
【課題を解決するための手段】
【０００９】
本発明の上記課題は、自動車のエアフィルターに噴霧して用いる自動車用排気ガス清浄剤として、水に、ａ）トルマリン微粉末、ｂ）多孔質材料の微粉末、ｃ）海藻類から抽出されたフコイダン、ｄ）海藻類から抽出されたアミノペプチドおよび／またはアルギン酸類を含有させた自動車用排気ガス清浄剤、該排気ガス清浄剤の製造方法および該排気ガス清浄剤の使用方法により解決される。
【００１０】
本発明の要旨を以下に示す。
（１）水に、
ａ）トルマリンの微粉末、
ｂ）多孔質材料の微粉末、
ｃ）海藻類から抽出されたフコイダン、
ｄ）海藻類から抽出されたアミノペプチドおよび／またはアルギン酸類
を含有させたことを特徴とする、エアフィルターに噴霧して用いる自動車用排気ガス清浄剤。
（２）さらに、
ｅ）天然防腐剤として作用する、ヒノキ油、ヒバ油等の植物精油
を含有させたことを特徴とする、（１）に記載の自動車用排気ガス清浄剤。
（３）上記（１）に記載の自動車用排気ガス清浄剤の製造方法であって、
１）水に、トルマリンの微粉末および多孔質材料の微粉末を分散させる工程、
２）前記１）で得られた液に、海藻類から抽出されたフコイダン、および海藻類から抽出されたアミノペプチドおよび／またはアルギン酸類を添加する工程、
を含むことを特徴とする、自動車用排気ガス清浄剤の製造方法。
（４）上記（２）に記載の自動車用排気ガス清浄剤の製造方法であって、
１）水に、トルマリンの微粉末および多孔質材料の微粉末を分散させる工程、
２）前記１）で得られた液に、海藻類から抽出されたフコイダン、海藻類から抽出されたアミノペプチドおよび／またはアルギン酸類、および天然防腐剤として作用する、ヒノキ油、ヒバ油等の植物精油を添加する工程、
を含むことを特徴とする、自動車用排気ガス清浄剤の製造方法。
（５）上記（１）または（２）に記載の自動車用排気ガス清浄剤の使用方法であって、
１）自動車のエンジンルームからエアフィルターを取り出す工程、
２）前記エアフィルターの両面に、前記自動車用排気ガス清浄剤を噴霧する工程、および
３）前記自動車用排気ガス清浄剤を噴霧したエアフィルターを、前記エンジンルームに戻す工程、
を含むことを特徴とする、自動車用排気ガス清浄剤の使用方法。
【発明の効果】
【００１１】
本発明の自動車用排気ガス清浄剤および該燃排気ガス清浄剤の使用方法は、天然由来の成分のみを用いた自動車用排気ガス清浄剤を、エアフィルターに噴霧するという簡単な方法により、自動車の燃費を向上できると共に、排気ガス中の一酸化炭素（ＣＯ）、炭化水素（ＨＣ）の排出量のみならず、窒化酸化物（ＮＯＸ）、二酸化炭素（ＣＯ２）の排出量をも大幅に低減することができ、自動車の排気ガス清浄化をさらに改善できる。さらに、トルマリンの微粉末および多孔質材料の微粉末をエアフィルターに均一に付着させ、しっかりと固定することができ、自動車用排気ガス清浄剤の有効期間を延長できる。
また、本発明の自動車用排気ガス清浄剤の製造方法は、このような優れた自動車用排気ガス清浄剤を、経済的かつ効率的に製造できる。
【図面の簡単な説明】
【００１２】
【図１】本発明の自動車の排気ガス清浄剤の使用方法を示す概略図である。
【発明を実施するための形態】
【００１３】
以下に、本発明の実施の形態について、図面も用いて具体的に説明するが、本発明はこれらに制限されるものではない。
【００１４】
本発明の自動車用排気ガス清浄剤は、水に、ａ）トルマリンの微粉末、ｂ）多孔質材料の微粉末、ｃ）海藻類から抽出されたフコイダン、ｄ）海藻類から抽出されたアミノペプチドおよび／またはアルギン酸類を含有させたことを特徴とするものであって、UNIDO（国際連合工業開発機関）環境技術データベース（http://www.unido.or.jp）にその概要が登録・掲載されている優れたものである。さらに、本発明の自動車用排気ガス清浄剤は、複数のタクシー会社・運送会社において試用試験がされて高く評価されており、実用上極めて優れたものである。
【００１５】
まず、本発明の自動車用排気ガス清浄剤が含有する成分について説明する。
＜水＞
本発明の自動車用排気ガス清浄剤に用いる水としては、水道水でも大きな支障はないが、好ましくは、塩素等の消毒剤を除いたイオン交換水を用いるのが好ましい。
【００１６】
＜トルマリンの微粉末＞
トルマリン（tourmaline）はケイ酸塩鉱物のグループ名であり、１８８０年にピエール・キュリーによりある電気（ピエゾ電気）と焦電気（ピロ電気）を生じることが発見された。
【００１７】
本発明の自動車用排気ガス清浄剤を自動車のエアフィルターに噴霧すると、トルマリンの微粉末がエアフィルターに付着・固定し、エアフィルターを通過する空気の圧力により、エアフィルターを通過する空気中の水分（水蒸気）が、ヒドロキシルイオン（Ｈ３Ｏ２−）と水素ガス（Ｈ２）に分解される現象が生じ、ヒドロキシルイオンの界面活性作用によるエンジンの燃焼室内の洗浄効果と水素ガスの燃焼効果により燃料を完全燃焼に近い形で燃焼させることができるので、自動車の燃費を向上させると共に、排気ガス中の一酸化炭素（ＣＯ）、炭化水素（ＨＣ）の排出量のみならず、窒化酸化物（ＮＯＸ）、二酸化炭素（ＣＯ２）の排出量をも大幅に低減することができ、自動車の排気ガスを清浄化する性能をさらに向上させることができると考えられる。
【００１８】
すなわち、エアフィルターに付着・固定したトルマリンの微粉末は、エアフィルターを通過する空気の圧力によりピエゾ電気を生じ、下記式（１）に示すように、空気中に含まれる水分子（Ｈ２Ｏ）がＨ＋とＯＨ−に電気分解され、さらに、下記式（２）に示すように、Ｈ＋はトルマリンに引きつけられ水素ガス（Ｈ２）となって放出される一方、ＯＨ−は水分子（Ｈ２Ｏ）と結合して、マイナスのヒドロキシルイオン（Ｈ３Ｏ２−）と呼ばれる界面活性効果を持ったイオンに変化する。
２Ｈ２Ｏ →Ｈ２ ＋ ２ＯＨ−     ・・・（１）
ＯＨ−＋Ｈ２Ｏ →Ｈ３Ｏ２−    ・・・（２）
【００１９】
この電気分解で発生するヒドロキシルイオン（Ｈ３Ｏ２−）は、界面活性作用を有していることから、エンジンの燃焼室内のすす等の汚れを除去し、燃費を向上させるように作用すると考えられる。
【００２０】
また、この電気分解で発生する水素ガス（Ｈ２）は、それ自体が燃焼することで燃費を向上できると共に、水素ガス（Ｈ２）が燃焼して酸素（Ｏ２）を消費することにより、現在大半の自動車で採用されているフィードバック制御［排気ガス中の酸素（Ｏ２）量を測定し、酸素量がある場合には、まだ燃やせるとして燃料の噴射量を増加する制御］による燃料噴射量の増加を防止することによっても、燃費を向上でき、自動車の排気ガス清浄化をさらに改善できると考えられる。
【００２１】
トルマリンの微粉末の粒径は、上記式（１）および（２）の反応を促進する観点からは、小さいほど比表面積を大きくできるため好ましいが、細かく粉砕するためには手間、経費を要することから、通常は、最大粒径が６００μｍとすることが実用上好ましい。
【００２２】
＜多孔質材料の微粉末＞
本発明の自動車用排気ガス清浄剤は、トルマリンの微粉末と共に、多孔質材料の微粉末を含有することを第１の特徴とするものである。
【００２３】
トルマリンの微粉末は、エアフィルターに付着・固定し、エアフィルターを通過する空気中の水分（水蒸気）を、ヒドロキシルイオン（Ｈ３Ｏ２−）と水素ガス（Ｈ２）に分解するように作用するが、自動車用排気ガス清浄剤に多孔質材料の微粉末を添加すると、この多孔質材料の微粉末が、トルマリンの微粉末を担持したり、取り囲んだり、支持したりして、トルマリンの微粉末と水分（水蒸気）との接触面積が広がることにより、上記電気分解作用を促進できる。
【００２４】
多孔質材料は、ミクロポーラス材料（細孔の大きさ：２ｎｍ以下）、メソポーラス材料、（細孔の大きさ：２〜５０ｎｍ）およびマクロポーラス材料（細孔の大きさ：５０ｎｍ以上）のいずれであってもよい。ミクロポーラス材料としては、例えば、活性炭、ゼオライト、アセチレンブラック、ケッチェンブラック、ファーネスブラック、多孔質ウレタンフォーム、多孔質ポリエチレン、多孔質酢酸ビニル等が挙げられる。メソポーラス材料としては、例えば、シリカオリゴマー、中空シリカ、ＭＣＭ、ＦＳＭ、金属酸化物ナノ粒子が挙げられる。マクロポーラス材料としては、例えば、軽石等が挙げられる。
【００２５】
多孔質材料の微粉末の粒径としては、上記のトルマリンの微粉末の電気分解作用を促進できる粒径のものを用いることができるが、通常は、一次粒子径が１００ｎｍ〜２００ｎｍのものを用いることが好ましい。
【００２６】
＜海藻類から抽出されたフコイダンおよび海藻類から抽出されたアミノペプチドおよび／またはアルギン酸類＞
本発明の自動車用排気ガス清浄剤は、トルマリンの微粉末および多孔質材料の微粉末をエアフィルターに付着・固定させる成分として、海藻類から抽出されたフコイダン、海藻類から抽出されたアミノペプチドおよび／またはアルギン酸類を含有することを第２の特徴とするものである。
【００２７】
自動車用排気ガス清浄剤を自動車のエアフィルターに噴霧して、トルマリンの微粉末および多孔質材料の微粉末をエアフィルターに均一に付着させるためには、自動車用排気ガス清浄剤の粘度を高くする必要があるが、粘度を高くしすぎると噴霧が困難となってしまう。さらに、噴霧後に、エアフィルターに付着させたトルマリンの微粉末および多孔質材料の微粉末がエアフィルターにしっかりと固定されなければ、エアフィルターを通過する空気流により、トルマリンの微粉末および多孔質材料の微粉末が脱落・飛散してしまうこととなる。
【００２８】
そこで、本発明の自動車用排気ガス清浄剤では、
〇海藻類から抽出されたフコイダンを添加することにより、トルマリンの微粉末および多孔質材料の微粉末をエアフィルターに均一に付着させる、と共に
〇海藻類から抽出されたアミノペプチドおよび／またはアルギン酸類を添加することにより、エアフィルターをエンジンルームに戻し自動車運転時に加わる熱により、アミノペプチドおよび／またはアルギン酸類がゲル化・増粘して、トルマリンの微粉末および多孔質材料の微粉末をエアフィルターにしっかりと固定させる、
ようにしたものである。
【００２９】
これにより、トルマリンの微粉末および多孔質材料の微粉末をエアフィルターに均一に付着させ、しっかりと固定できるので、上記の燃費向上性能、排気ガス清浄化性能を向上させることができると共に、自動車用排気ガス清浄剤の有効期間を延ばすことができる。
【００３０】
海藻類から抽出されたフコイダンとは、海藻のネバネバ成分と表現されることもある硫酸化多糖の一種であり、主に、Ｌ−フコース（多糖体）がα１−２、α１−４結合で数十から数十万個繋がった化合物で、平均分子量は２００,０００程度である。
【００３１】
海藻類から抽出されたアミノペプチドとは、炭素（Ｃ）を中心にアミノ基（−ＮＨ２）とカルボキシル基（−ＣＯＯＨ）が両側に結合したアミノ酸が、一般に５０個未満結合したものである。
【００３２】
海藻類から抽出されたアルギン酸類とは、下記式（３）で示されるような、海藻類に含まれる多糖類で、食物繊維の一種である。
【化１】
2018193898.tif 000003
【００３３】
なお、特許文献５では、自動車の燃費向上液は、「トルマリン、ブラックシリカ、又は緑煌石を浸漬させた水で魚介類と海藻類を煮詰めて抽出したアミノペプチド類と、アルギン酸類を含有させた」とされているが、「トルマリン、ブラックシリカ、又は緑煌石を浸漬させた水」にどのような形でトルマリン等が含有されているのかが不明であるし、また、アミノペプチド類、アルギン酸類は加熱するとゲル化・増粘することから、自動車の燃費向上液の粘度が噴霧に適さない程度に高くなることが懸念される。
【００３４】
＜ヒノキ油、ヒバ油等の植物精油＞
本発明の自動車用排気ガス清浄剤には、劣化・腐敗を防止するために、天然防腐剤として作用する、ヒノキ油、ヒバ油等の植物精油を含有させることが好ましい。
【００３５】
植物精油としては、ネズミサシ油、レモングラス油、ヒバ油、カッシャ油、ピメント油、イランイラン油、タイムホワイト油、ヒノキ油等を挙げることができるが、これらの精油は、一般に、いずれも天然植物の幹材、葉又は根株を水蒸気蒸留することによって得ることができる。
価格、常温で固まらない、着色が少ないという観点からは、植物精油としてヒノキ油を用いることが好ましい。
【００３６】
＜自動車用排気ガス清浄剤の製造方法＞
つぎに、本発明の自動車用排気ガス清浄剤の製造方法について説明する。
本発明の自動車用排気ガス清浄剤は、上記のように、水に、ａ）トルマリンの微粉末、ｂ）多孔質材料の微粉末、ｃ）海藻類から抽出されたフコイダン、およびｄ）海藻類から抽出されたアミノペプチドおよび／またはアルギン酸類、好ましくは、ｅ）ヒノキ油、ヒバ油等の植物精油を含有させたものであるが、これらの成分を水に分散できる方法であればいかなる方法も用いることができる。
【００３７】
好ましくは、水に懸濁・分散させるために強く撹拌する必要のあるａ）トルマリンの微粉末、およびｂ）多孔質材料の微粉末を先に分散させ、その後、ｃ）海藻類から抽出されたフコイダン、およびｄ）海藻類から抽出されたアミノペプチドおよび／またはアルギン酸類、好ましくは、ｅ）ヒノキ油、ヒバ油等の植物精油を添加することが好ましい。
【００３８】
これらａ）〜ｄ）成分、好ましくはｅ）成分の混合は、上記のように、ｄ）成分は加熱によりゲル化・増粘することから、これを防止するために撹拌・混合は室温で行うことが好ましい。季節、現場環境、撹拌などにより溶液の温度が上昇する場合には、攪拌槽を適宜冷却することが好ましい。
【００３９】
＜自動車用排気ガス清浄剤の使用方法＞
つぎに、本発明の自動車用排気ガス清浄剤の使用方法について説明する。
本発明の自動車用排気ガス清浄剤の使用方法は、基本的には、
１）自動車のエンジンルームからエアフィルターを取り出す工程、
２）前記エアフィルターの両面に、前記自動車用排気ガス清浄剤を噴霧する工程、および
３）前記自動車用排気ガス清浄剤を噴霧したエアフィルターを、前記エンジンルームに戻す工程、
により行う。
【００４０】
噴霧量は、ａ）〜ｄ）成分、好ましくはｅ）成分の濃度、エアフィルターの大きさ、形態にもよるが、通常の自家用車のエアフィルターに噴霧する場合、自動車用排気ガス清浄剤３０ｃｃを、エアフィルターの両面に噴霧する。
【００４１】
自動車用排気ガス清浄剤を噴霧したエアフィルターは、噴霧した直後に、エンジンルームに戻しても良いが、車種によってはエアフルターを濡れた状態で戻すと異常を知らせる警告がなされるケースもあるので、十分に乾燥させた後にエンジンルームに戻すのが好ましい。
【実施例】
【００４２】
以下に、実施例により、本発明を更に詳しく説明するが、本発明は以下に説明する実施例に限定されるものではない。
【００４３】
＜自動車用排気ガス清浄剤の製造例＞
イオン交換水６０ｇを入れた撹拌槽に、
ａ）トルマリン（最大粒径６００μｍ）０．４ｇ、
ｂ）シリカ（一次粒子径１００ｎｍ〜２００ｎｍ）０．６ｇ、
ｃ）海藻類から抽出したフコダイン１．０ｇ、
ｄ）海藻類から抽出したアミノペプチド１．５ｇおよびアルギン酸類０．５ｇ
を投入し、室温で３０分間撹拌し均一に混合して、自動車用排気ガス清浄剤を製造した。
【００４４】
＜自動車用排気ガス清浄剤の使用例＞
図１に示すように、得られた溶液３０ｃｃをスプレー容器２に収納し、
トヨタマークII（型式：E-MCV20W）のエンジンルームからエアフィルター１を取り出し、このエアフィルター１の両面に、上記自動車用排気ガス清浄剤を均一に噴霧し、１時間乾燥させた後、エアフィルターをエンジンルームに戻した。
【００４５】
＜自動車用排気ガス清浄剤の性能試験＞
上記のように上記自動車の燃費向上剤をエアフィルターに噴霧した場合と、噴霧しなかった場合における、「排出ガス」及び「燃料消費率」についての測定を、「公益財団法人  日本自動車輸送技術協会」に依頼して行った。
ここで得られた、１０・１５モード走行状態における「排出ガス試験」及び「燃料消費率試験」の結果を以下の表１〜４に整理して示す。
【００４６】
【表１】
2018193898.tif 000004
【００４７】
【表２】
2018193898.tif 000005
【００４８】
【表３】
2018193898.tif 000006
【００４９】
【表４】
2018193898.tif 000007
【００５０】
このように、上記自動車の燃費向上剤をエアフィルターに噴霧した場合は、噴霧しなかった場合に比べ、排気ガス中の一酸化炭素（ＣＯ）は３０．４％低下し、炭化水素（ＨＣ）は２３．３％低下し、窒化酸化物（ＮＯＸ）は１５．０９％低下し、二酸化炭素（ＣＯ２）は０．４３％低下している。
さらに、燃料消費率（カーボンバランス法）も、９．３ｋｍ／Ｌから９．４ｋｍ／Ｌと改善されている。
【００５１】
上記実施例でも実証されるように、本発明の自動車用排気ガス清浄剤および該燃排気ガス清浄剤の使用方法は、天然由来の成分のみを用いた自動車用排気ガス清浄剤を、エアフィルターに噴霧するという簡単な方法により、自動車の燃費を向上できると共に、排気ガス中の一酸化炭素（ＣＯ）、炭化水素（ＨＣ）の排出量のみならず、窒化酸化物（ＮＯＸ）、二酸化炭素（ＣＯ２）の排出量をも大幅に低減することができ、自動車の排気ガス清浄化をさらに改善できる優れた発明である。さらに、トルマリンの微粉末および多孔質材料の微粉末をエアフィルターに均一に付着させ、しっかりと固定することができ、自動車用排気ガス清浄剤の有効期間を延長できる優れた発明である。
【００５２】
また、本発明の自動車用排気ガス清浄剤の製造方法は、このような優れた自動車用排気ガス清浄剤を、経済的かつ効率的に製造できる優れた発明である。
本発明の自動車用排気ガス清浄剤は、その原理・作用から明らかなように、自動車のみならず、エンジンの外気空気を使用する他の内燃機関にも適用することができる。
【符号の説明】
【００５３】
１    エアフィルター
２    スプレー容器
【図１】
2018193898.tif 000008
【手続補正書】
【提出日】平成30年4月2日(2018.4.2)
【手続補正１】
【補正対象書類名】特許請求の範囲
【補正対象項目名】全文
【補正方法】変更
【補正の内容】
【特許請求の範囲】
【請求項１】
水に、
ａ）トルマリンの微粉末、
ｂ）多孔質材料の微粉末、
ｃ）海藻類から抽出されたフコイダン、
ｄ）海藻類から抽出されたアミノペプチドおよび／またはアルギン酸類
を含有させたことを特徴とする、エアフィルターに噴霧して用いる自動車用排気ガス清浄剤。
【請求項２】
さらに、
ｅ）天然防腐剤として作用する、ヒノキ油、ヒバ油等の植物精油
を含有させたことを特徴とする、請求項１に記載の自動車用排気ガス清浄剤。
【請求項３】
請求項１に記載の自動車用排気ガス清浄剤の製造方法であって、
１）水に、トルマリンの微粉末および多孔質材料の微粉末を分散させる工程、
２）前記１）で得られた液に、海藻類から抽出されたフコイダン、および海藻類から抽出されたアミノペプチドおよび／またはアルギン酸類を添加する工程、
を含むことを特徴とする、自動車用排気ガス清浄剤の製造方法。
【請求項４】
請求項２に記載の自動車用排気ガス清浄剤の製造方法であって、
１）水に、トルマリンの微粉末および多孔質材料の微粉末を分散させる工程、
２）前記１）で得られた液に、海藻類から抽出されたフコイダン、海藻類から抽出されたアミノペプチドおよび／またはアルギン酸類、および天然防腐剤として作用する、ヒノキ油、ヒバ油等の植物精油を添加する工程、
を含むことを特徴とする、自動車用排気ガス清浄剤の製造方法。
【手続補正３】
【補正対象書類名】明細書
【補正対象項目名】０００１
【補正方法】変更
【補正の内容】
【０００１】
本発明は、自動車のエアフィルターに噴霧して用いる自動車用排気ガス清浄剤および該排気ガス清浄剤の製造方法に関する。
【手続補正４】
【補正対象書類名】明細書
【補正対象項目名】０００８
【補正方法】変更
【補正の内容】
【０００８】
本発明者等は、天然由来の成分のみを用い、先に提案した特許文献５の燃費向上液における、排気ガスを清浄化する性能をさらに向上させることを鋭意検討して本発明を成したものであって、本発明の課題は、天然由来の成分のみを用いた自動車用排気ガス清浄剤を、エアフィルターに噴霧するという簡単な方法により、自動車の燃費を向上できると共に、排気ガス中の一酸化炭素（ＣＯ）、炭化水素（ＨＣ）の排出量のみならず、窒化酸化物（ＮＯＸ）、二酸化炭素（ＣＯ２）の排出量をも大幅に低減することができ、自動車の排気ガス清浄化をさらに改善でき、さらに、トルマリンの微粉末および多孔質材料の微粉末をエアフィルターに均一に付着させ、しっかりと固定することができ、自動車用排気ガス清浄剤の有効期間を延長できる自動車用排気ガス清浄剤および該排気ガス清浄剤の製造方法を提供することにある。
【手続補正５】
【補正対象書類名】明細書
【補正対象項目名】０００９
【補正方法】変更
【補正の内容】
【０００９】
本発明の上記課題は、自動車のエアフィルターに噴霧して用いる自動車用排気ガス清浄剤として、水に、ａ）トルマリン微粉末、ｂ）多孔質材料の微粉末、ｃ）海藻類から抽出されたフコイダン、ｄ）海藻類から抽出されたアミノペプチドおよび／またはアルギン酸類を含有させた自動車用排気ガス清浄剤および該排気ガス清浄剤の製造方法により解決される。
【手続補正６】
【補正対象書類名】明細書
【補正対象項目名】００１０
【補正方法】変更
【補正の内容】
【００１０】
本発明の要旨を以下に示す。
（１）水に、
ａ）トルマリンの微粉末、
ｂ）多孔質材料の微粉末、
ｃ）海藻類から抽出されたフコイダン、
ｄ）海藻類から抽出されたアミノペプチドおよび／またはアルギン酸類
を含有させたことを特徴とする、エアフィルターに噴霧して用いる自動車用排気ガス清浄剤。
（２）さらに、
ｅ）天然防腐剤として作用する、ヒノキ油、ヒバ油等の植物精油
を含有させたことを特徴とする、（１）に記載の自動車用排気ガス清浄剤。
（３）上記（１）に記載の自動車用排気ガス清浄剤の製造方法であって、
１）水に、トルマリンの微粉末および多孔質材料の微粉末を分散させる工程、
２）前記１）で得られた液に、海藻類から抽出されたフコイダン、および海藻類から抽出されたアミノペプチドおよび／またはアルギン酸類を添加する工程、
を含むことを特徴とする、自動車用排気ガス清浄剤の製造方法。
（４）上記（２）に記載の自動車用排気ガス清浄剤の製造方法であって、
１）水に、トルマリンの微粉末および多孔質材料の微粉末を分散させる工程、
２）前記１）で得られた液に、海藻類から抽出されたフコイダン、海藻類から抽出されたアミノペプチドおよび／またはアルギン酸類、および天然防腐剤として作用する、ヒノキ油、ヒバ油等の植物精油を添加する工程、
を含むことを特徴とする、自動車用排気ガス清浄剤の製造方法。
【手続補正７】
【補正対象書類名】明細書
【補正対象項目名】００１１
【補正方法】変更
【補正の内容】
【００１１】
本発明の自動車用排気ガス清浄剤は、天然由来の成分のみを用いた自動車用排気ガス清浄剤を、エアフィルターに噴霧するという簡単な方法により、自動車の燃費を向上できると共に、排気ガス中の一酸化炭素（ＣＯ）、炭化水素（ＨＣ）の排出量のみならず、窒化酸化物（ＮＯＸ）、二酸化炭素（ＣＯ２）の排出量をも大幅に低減することができ、自動車の排気ガス清浄化をさらに改善できる。さらに、トルマリンの微粉末および多孔質材料の微粉末をエアフィルターに均一に付着させ、しっかりと固定することができ、自動車用排気ガス清浄剤の有効期間を延長できる。
また、本発明の自動車用排気ガス清浄剤の製造方法は、このような優れた自動車用排気ガス清浄剤を、経済的かつ効率的に製造できる。